【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
波長１．２μｍから１．７μｍの範囲内の光を用いる光通信用の光接続モジュールであって、
複数の入力用光導波路と、
複数の出力用光導波路と、
前記入力用光導波路の光射出側に配置された１つの両側テレセントリック光学系を備え、
前記両側テレセントリック光学系は、前記入力用光導波路からの少なくとも２本以上の光束が通過する大きさを有し、高分散の硝材と低分散の硝材の組み合わせで構成されていることを特徴とする光接続モジュール。
【請求項２】
前記両側テレセントリック光学系を挟んで、前記入力用光導波路と向かい合う位置に、複数の傾斜角可変ミラー素子からなるミラー列が配置されていることを特徴とする請求項１記載の光接続モジュール。
【請求項３】
前記入力用光導波路相互の間隔は、前記傾斜角可変ミラー素子相互の間隔よりも小さく、前記両側テレセントリック光学系の倍率が、１倍よりも大きく３０倍以下であることを特徴とする請求項２記載の光接続モジュール。
【請求項４】
前記両側テレセントリック光学系は、前記両側テレセントリック光学系の光軸に対して直交する２方向において、前記両側テレセントリック光学系の倍率が互いに異なるアナモルフィック光学系であることを特徴とする請求項１から３の何れか１項記載の光接続モジュール。
【請求項５】
前記ミラー列は、前記両側テレセントリック光学系の光軸に対して傾斜して配置され、前記直交する２方向のうち一方を前記傾斜方向とするとき、前記傾斜方向における倍率が、残りの方向における倍率よりも小さいことを特徴とする請求項４記載の光接続モジュール。
【請求項６】
前記両側テレセントリック光学系の光軸に対して直交する２方向のうち、一方の方向において、前記ミラー列は前記光軸に対して傾斜して配置され、前記入力用光導波路又は前記出力用光導波路の少なくとも一方の光導波路の端面は、前記光導波路の光軸に対して角度をもって傾斜してカットされ、前記２方向のうち、他方の方向において、前記端面が前記両側テレセントリック光学系の光軸に対して傾斜して配置されていることを特徴とする請求項２記載の光接続モジュール。
【請求項７】
波長１．２μｍから１．７μｍの範囲内で使用する赤外光用光学系において、少なくとも２つの異なる硝材を用いており、硝材の波長１．５５μｍでのアッベ数相当値νを、
ν＝（ｎ1.55−１）／（ｎ1.26−ｎ1.675 ）              ・・・（ａ）
と定義（ｎ1.26は波長１．２６μｍでの屈折率、ｎ1.675 は波長１．６７５μｍでの屈折率、ｎ1.55は波長１．５５μｍでの屈折率）するとき、少なくとも２つの異なる硝材の１つの波長１．５５μｍでのアッベ数相当値ν1 が、
７０＜ν1 ＜１２０                                    ・・・（１）
を満足し、もう１つの波長１．５５μｍでのアッベ数相当値ν2 が、
１２０＜ν2 ＜２５０                                  ・・・（２）
を満足することを特徴とする赤外光用光学系。
【手続補正２】
【補正対象書類名】明細書
【補正対象項目名】００１２
【補正方法】変更
【補正の内容】
【００１２】
【課題を解決するための手段】
上記目的を達成する本発明の光接続モジュールは、波長１．２μｍから１．７μｍの範囲内の光を用いる光通信用の光接続モジュールであって、
複数の入力用光導波路と、
複数の出力用光導波路と、
前記入力用光導波路の光射出側に配置された１つの両側テレセントリック光学系を備え、
前記両側テレセントリック光学系は、前記入力用光導波路からの少なくとも２本以上の光束が通過する大きさを有し、高分散の硝材と低分散の硝材の組み合わせで構成されていることを特徴とするものである。
【手続補正３】
【補正対象書類名】明細書
【補正対象項目名】００１３
【補正方法】変更
【補正の内容】
【００１３】
本発明の赤外光用光学系は、波長１．２μｍから１．７μｍの範囲内で使用する赤外光用光学系において、少なくとも２つの異なる硝材を用いており、硝材の波長１．５５μｍでのアッベ数相当値νを、
ν＝（ｎ1.55−１）／（ｎ1.26−ｎ1.675 ）              ・・・（ａ）
と定義（ｎ1.26は波長１．２６μｍでの屈折率、ｎ1.675 は波長１．６７５μｍでの屈折率、ｎ1.55は波長１．５５μｍでの屈折率）するとき、少なくとも２つの異なる硝材の１つの波長１．５５μｍでのアッベ数相当値ν1 が、
７０＜ν1 ＜１２０                                    ・・・（１）
を満足し、もう１つの波長１．５５μｍでのアッベ数相当値ν2 が、
１２０＜ν2 ＜２５０                                  ・・・（２）
を満足することを特徴とするものである。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
【発明の実施の形態】
本発明の光接続モジュールの第１の形態として、複数の入力用光導波路から射出した波長１．２μｍから１．７μｍの範囲内の光信号を、複数の出力用光導波路に入射させる光通信用の光接続モジュールであって、
１つの両側テレセントリック光学系により、前記入力用光導波路からの少なくとも２本以上の光束を前記出力用光導波路に光学的に接続することを特徴とする光接続モジュールとして構成し得る。
第２の形態の光接続モジュールは、第１の形態において、複数の傾斜角可変ミラー素子からなるミラー列が間に配置され、前記入射用光導波路からの光束の反射方向を前記ミラー列の傾斜角可変ミラー素子で変えることにより、前記出力用光導波路への接続が切り換え可能になっていることを特徴とする光接続モジュールとして構成し得る。
第３の形態の光接続モジュールは、第２の形態において、前記複数の傾斜角可変のミラー素子からなるミラー列が平板上に配置されており、前記平板は前記両側テレセントリック光学系の光軸に対して角度をもって傾斜配置されていることを特徴とする光接続モジュールとして構成し得る。
第４の形態の光接続モジュールは、第１〜３の形態において、前記両側テレセントリック光学系の倍率が、光軸に直交し相互に直交する２方向で異なるアナモルフィック光学系であることを特徴とする光接続モジュールとして構成し得る。
第５の形態の光接続モジュールは、第１〜３の形態において、前記入力用光導波路又は前記出力用光導波路の少なくとも一方の光導波路同士の並べ方が最密充填となっていることを特徴とする光接続モジュールとして構成し得る。
第６の形態の光接続モジュールは、第３の形態において、前記入力用光導波路又は前記出力用光導波路の少なくとも一方の光導波路の端面は光導波路の光軸に対して角度をもって傾斜面にカットされ、その傾斜面が傾いている面と、前記ミラー列が傾斜している面とのなす角が略９０°であることを特徴とする光接続モジュールとして構成し得る。
第７の形態の赤外光用光学系は、波長１．２μｍから１．７μ  ｍの範囲内で使用する赤外光用光学系において、少なくとも２つの異なる硝材を用いており、硝材の波長１．５５μｍでのアッベ数相当値νを、
ν＝（ｎ1.55−１）／（ｎ1.26−ｎ1.675 ）              ・・・（ａ）
と定義（ｎ1.26は波長１．２６μｍでの屈折率、ｎ1.675 は波長１．６７５μｍでの屈折率、ｎ1.55は波長１．５５μｍでの屈折率）するとき、少なくとも２つの異なる硝材の１つの波長１．５５μｍでのアッベ数相当値ν1 が、
７０＜ν1 ＜１２０                                    ・・・（１）
を満足し、もう１つの波長１．５５μｍでのアッベ数相当値ν2 が、
１２０＜ν2 ＜２５０                                  ・・・（２）
を満足することを特徴とする赤外光用光学系として構成し得る。
第８の形態の赤外光用光学系は、第７の形態において、前記赤外光用光学系が両側テレセントリック光学系であることを特徴とする赤外光用光学系として構成し得る。
次に、以下に、本発明の光接続モジュール及び赤外光用光学系の実施例を説明する。